(57)【要約】【課題】操作性に優れ、好適に画像の彩度を補正できる画像処理装置及び画像表示システムを提供することを目的とする。【解決手段】デジタル表示装置７０に表示される画像の彩度を補正し、彩度が補正された状態の画像を示す画像信号を出力する画像処理装置１０である。画像処理装置１０では、画像の彩度について、強の状態と、弱の状態と、の何れかが、画像処理装置１０に入力される、強の状態又は弱の状態を選択するための指令に従い指定される（Ｓ１３０，Ｓ１３２）。指定された強の状態又は弱の状態は登録される（Ｓ１３４）。画像処理装置１０では、登録された、強の状態又は弱の状態に従い、画像の彩度が補正され、彩度が補正された状態の画像を示す画像信号が、デジタル表示装置７０に出力される。【選択図】図２
2012133600.tif 000002
【特許請求の範囲】
【請求項１】
表示装置に表示される画像の彩度を補正し、彩度が補正された状態の画像を示す画像信号を出力する画像処理装置であって、
画像の彩度について、第一種状態と、前記第一種状態より彩度を低下させた第二種状態と、の何れかを、前記画像処理装置に入力される、前記第一種状態又は前記第二種状態を選択するための指令に従い指定する状態指定部と、
前記状態指定部によって指定された前記第一種状態又は前記第二種状態を、画像設定部に登録する登録部と、
前記登録部によって前記画像設定部に登録された前記第一種状態又は前記第二種状態に従い、画像の彩度を補正する彩度補正部と、
前記彩度補正部によって彩度が補正された状態の画像を示す画像信号を、前記表示装置に出力する画像信号出力部と、を有する画像処理装置。
【請求項２】
前記第一種状態に対応した態様の第一種選択肢と、前記第二種状態に対応した態様の第二種選択肢と、を前記表示装置に表示させる選択肢出力部を、さらに有し、
前記状態指定部は、前記選択肢出力部によって前記表示装置に表示された前記第一種選択肢及び前記第二種選択肢に応じて、前記画像処理装置に入力される前記指令に従い、前記第一種状態と、前記第二種状態と、の何れかを指定する、請求項１に記載の画像処理装置。
【請求項３】
前記状態指定部は、
画像を構成する赤色の彩度について、前記第一種状態と、前記第二種状態と、の何れかを、赤色に関して前記画像処理装置に入力される前記指令に従い指定する赤色状態指定部と、
画像を構成する緑色の彩度について、前記第一種状態と、前記第二種状態と、の何れかを、緑色に関して前記画像処理装置に入力される前記指令に従い指定する緑色状態指定部と、
画像を構成する青色の彩度について、前記第一種状態と、前記第二種状態と、の何れかを、青色に関して前記画像処理装置に入力される前記指令に従い指定する青色状態指定部と、
画像を構成する、赤色、緑色及び青色以外の色であって、前記表示装置で発光される光の原色と異なる特定色の彩度について、前記第一種状態と、前記第二種状態と、の何れかを、特定色に関して前記画像処理装置に入力される前記指令に従い指定する特定色状態指定部と、を含み、
前記登録部は、前記赤色状態指定部によって指定された前記第一種状態又は前記第二種状態と、前記緑色状態指定部によって指定された前記第一種状態又は前記第二種状態と、前記青色状態指定部によって指定された前記第一種状態又は前記第二種状態と、前記特定色状態指定部によって指定された前記第一種状態又は前記第二種状態と、を前記画像設定部に登録し、
前記彩度補正部は、赤色、緑色、青色及び特定色それぞれについて、前記登録部によって前記画像設定部に登録された前記第一種状態又は前記第二種状態に従い、画像の彩度を補正する、請求項１又は請求項２に記載の画像処理装置。
【請求項４】
請求項１から請求項３の何れか１項に記載の画像処理装置と、前記画像処理装置から出力される画像信号によって示される画像を表示する前記表示装置と、を有する画像表示システム。
【発明の詳細な説明】
【技術分野】
【０００１】
本発明は、画像処理装置及び画像表示システムに関する。
【背景技術】
【０００２】
従来から、表示装置に表示される画像（映像）の彩度を補正する画像処理装置についての提案がなされている（例えば、特許文献１参照）。具体的に特許文献１には、放送映像や再生映像を、より自然に近い色で色覚障害者用に補正できる機能を有する画像処理装置が開示されている。特許文献１の画像処理装置では、Ｌ錐体とＭ錐体とＳ錐体とに応じて映像信号の赤色スペクトルと緑色スペクトルと青色スペクトルとの３バンドに映像信号のスペクトルが分解される。色設定画面にて例えばプリセットとしてＬ錐体の視感度障害を示す赤色弱に対する彩度レベルの平均的な補正値が赤色弱ボタンにより選択できる。色設定画面にて３バンド毎に映像の彩度レベルがシフトレバーにより増減させることができる。また、シフトレバーにより補正値を任意に変更させることができる。特許文献１の画像処理装置によれば、選択された彩度レベルの平均的な補正値に基づく彩度を有する映像信号を出力したり、増減された彩度レベルに基づく映像信号を出力したり、変更された補正値に基づく映像信号を出力したりすることができる、とされている。
【先行技術文献】
【特許文献】
【０００３】
【特許文献１】特開２００９−７７２１８号公報
【発明の概要】
【発明が解決しようとする課題】
【０００４】
例えば色覚異常の方々が、表示装置に表示される画像（映像）を好適に視認しようとする場合、表示装置に表示される画像の彩度を補正する必要がある。この場合、色覚異常の方々は、画像の彩度を補正するための操作を行わなければならない。しかし、色覚異常の方々、例えば加齢によって色覚が衰えた方々等の中には、このような補正のための操作が苦手な方々もいる。彩度を補正するための操作が複雑である場合、彩度の補正が行われないことになる。例えば、特許文献１のような構成によれば、各色について、シフトレバーを操作し、彩度を調整しなければならない。
【０００５】
本発明は、操作性に優れ、好適に画像の彩度を補正できる画像処理装置及び画像表示システムを提供することを目的とする。
【課題を解決するための手段】
【０００６】
上記従来の課題に鑑みなされた本発明の一側面は、表示装置に表示される画像の彩度を補正し、彩度が補正された状態の画像を示す画像信号を出力する画像処理装置であって、画像の彩度について、第一種状態と、前記第一種状態より彩度を低下させた第二種状態と、の何れかを、前記画像処理装置に入力される、前記第一種状態又は前記第二種状態を選択するための指令に従い指定する状態指定部と、前記状態指定部によって指定された前記第一種状態又は前記第二種状態を、画像設定部に登録する登録部と、前記登録部によって前記画像設定部に登録された前記第一種状態又は前記第二種状態に従い、画像の彩度を補正する彩度補正部と、前記彩度補正部によって彩度が補正された状態の画像を示す画像信号を、前記表示装置に出力する画像信号出力部と、を有する画像処理装置である。これによれば、第一種状態又は第二種状態の何れかを選択することで、好適に表示装置に表示される画像の彩度を補正することができる。
【０００７】
この画像処理装置は、次のような構成とすることもできる。前記第一種状態に対応した態様の第一種選択肢と、前記第二種状態に対応した態様の第二種選択肢と、を前記表示装置に表示させる選択肢出力部を、さらに有し、前記状態指定部は、前記選択肢出力部によって前記表示装置に表示された前記第一種選択肢及び前記第二種選択肢に応じて、前記画像処理装置に入力される前記指令に従い、前記第一種状態と、前記第二種状態と、の何れかを指定する、ようにしてもよい。これによれば、容易に第一種状態又は第二種状態の何れかを選択することができる。
【０００８】
また、前記状態指定部は、画像を構成する赤色の彩度について、前記第一種状態と、前記第二種状態と、の何れかを、赤色に関して前記画像処理装置に入力される前記指令に従い指定する赤色状態指定部と、画像を構成する緑色の彩度について、前記第一種状態と、前記第二種状態と、の何れかを、緑色に関して前記画像処理装置に入力される前記指令に従い指定する緑色状態指定部と、画像を構成する青色の彩度について、前記第一種状態と、前記第二種状態と、の何れかを、青色に関して前記画像処理装置に入力される前記指令に従い指定する青色状態指定部と、画像を構成する、赤色、緑色及び青色以外の色であって、前記表示装置で発光される光の原色と異なる特定色の彩度について、前記第一種状態と、前記第二種状態と、の何れかを、特定色に関して前記画像処理装置に入力される前記指令に従い指定する特定色状態指定部と、を含み、前記登録部は、前記赤色状態指定部によって指定された前記第一種状態又は前記第二種状態と、前記緑色状態指定部によって指定された前記第一種状態又は前記第二種状態と、前記青色状態指定部によって指定された前記第一種状態又は前記第二種状態と、前記特定色状態指定部によって指定された前記第一種状態又は前記第二種状態と、を前記画像設定部に登録し、前記彩度補正部は、赤色、緑色、青色及び特定色それぞれについて、前記登録部によって前記画像設定部に登録された前記第一種状態又は前記第二種状態に従い、画像の彩度を補正する、ようにしてもよい。これによれば、赤色、緑色、青色及びこれら以外の色であって表示装置で発光される光の原色と異なる特定色のそれぞれについて、好適な彩度に補正することができる。ユーザは、好適な彩度の画像を視認することができる。
【０００９】
また、本発明の他の側面は、上記した何れかの画像処理装置と、前記画像処理装置から出力される画像信号によって示される画像を表示する前記表示装置と、を有する画像表示システムである。これによれば、好適に表示装置に表示される画像の彩度を補正し、好適な彩度の画像を表示することができる。画像表示システムは、一体的に構成された装置であってもよく、また、複数の装置が、例えば所定のケーブルによって接続された構成であってもよい。
【００１０】
上記において画像は、何れの種別（タイプ）の画像であってもよい。また、画像は、映像を含む。
【発明の効果】
【００１１】
本発明によれば、操作性に優れ、好適に画像の彩度を補正できる画像処理装置及び画像表示システムを得ることができる。
【図面の簡単な説明】
【００１２】
【図１】（ａ）は画像処理装置の構成の一例を示すブロック図であり、（ｂ）は図１（ａ）に示す映像信号処理部の構成の一例を示すブロック図である。
【図２】画像処理装置で実行される処理のフローチャートである。
【図３】（ａ）は彩度の補正対象となる色を選択させるための設定画面の一例であり、（ｂ）は赤色に関して彩度を補正させるための設定画面の一例である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１４】
＜画像処理装置＞
画像処理装置１０について、図１（ａ），（ｂ）を参照して説明する。画像処理装置１０は、画像表示システムに含まれる。例えば、画像処理装置１０は、画像表示システムとしてのテレビ受像機に内蔵される。また、画像処理装置１０は、例えばハードディスク、ブルーレイディスク、ＤＶＤディスク及び／又はメモリカード等の所定の記憶媒体に記憶された映像を再生可能な再生装置に内蔵される。画像処理装置１０は、例えばテレビ受像機に入力されるデジタル映像信号（デジタル画像信号）若しくはアナログ映像信号（アナログ画像信号）、又は、再生装置で再生されたデジタル映像信号若しくはアナログ映像信号を対象として、所定の処理を実行する。
【００１５】
ところで、画像処理装置１０が、画像表示システムとしてのテレビ受像機に内蔵される場合、このテレビ受像機は、図１（ａ）に基づけば、画像処理装置１０と、表示部（モニタユニット）としてのデジタル表示装置７０とによって構成される。換言すれば、テレビ受像機は、画像処理装置１０とデジタル表示装置７０とを有する。画像処理装置１０が再生装置に内蔵される場合、図１（ａ）においてデジタル表示装置７０は、再生装置と接続されたテレビ受像機等の表示装置である。そして、画像処理装置１０を含む再生装置と、これに接続された表示装置（デジタル表示装置７０）、又はこれらを一体とした装置とによって、画像表示システムが構成される。
【００１６】
画像処理装置１０は、図１（ａ）に示すように、制御部１２と、ＤＲＡＭ（Dynamic Random Access Memory）１４と、デコーダ処理部１６と、映像Ａ／Ｄ変換処理部１８と、映像信号処理部（画像信号処理部）２０と、フラッシュＲＯＭ２２と、受信部２４とを有する。制御部１２は、画像処理装置１０が有する各部を制御して、画像処理装置１０の全体を制御する。制御部１２は、例えば、演算処理部と、画像処理装置１０で実行される各種処理のためのコンピュータプログラムを記憶するプログラムＲＯＭと、演算処理の実行のためのＲＡＭとを含む。制御部１２において、演算処理部が、ＲＡＭ上でコンピュータプログラムを実行することで、所定の機能が実現される。ＤＲＡＭ１４は、例えばデジタル映像信号によって示されるデータを含む所定のデータを記憶する記憶領域である。なお、ＤＲＡＭ１４は、ＳＤＲＡＭであってもよい。
【００１７】
デコーダ処理部１６は、デジタル映像信号の入力を受け、ＤＲＡＭ１４を利用して、圧縮された状態で入力されたデジタル映像信号を復号（復元）する。デコーダ処理部１６は、復号されたデジタル映像信号を映像信号処理部２０に出力する。映像Ａ／Ｄ変換処理部１８は、アナログ映像信号の入力を受け、入力されたアナログ信号をデジタル信号に変換する。映像Ａ／Ｄ変換処理部１８は、変換されたデジタル映像信号を映像信号処理部２０に出力する。デコーダ処理部１６及び映像Ａ／Ｄ変換処理部１８から出力されるデジタル映像信号は、赤色（Ｒ）、緑色（Ｇ）及び青色（Ｂ）の各値を含むＲＧＢ値によって示される。
【００１８】
映像信号処理部２０は、ＤＲＡＭ１４を利用して、デジタル表示装置７０で表示される映像（画像）を示すデジタル映像信号を生成する。映像信号処理部２０で実行される処理の説明は、後述する。映像信号処理部２０は、生成されたデジタル映像信号をデジタル表示装置７０に出力する。
【００１９】
フラッシュＲＯＭ２２は、所定のデータを記憶する。具体的に、フラッシュＲＯＭ２２には、例えば、後述する図２の処理で登録される映像設定データが記憶される。映像設定データは、デジタル表示装置７０で表示される映像について、この映像を構成する各色の彩度を示すデータである。具体的に、映像設定データは、後述するように赤色、緑色、青色、黄色、水色及び桃色の各色それぞれについての彩度の状態を示す。また、図３（ａ），（ｂ）に示す設定画面それぞれを構成する画像データが記憶される。受信部２４は、操作装置９０から出力（送信）される指令信号を受信する。指令信号の送受信には、例えば赤外線が用いられる。この場合、受信部２４は、赤外線受光部によって構成される。操作装置９０としては、テレビ受像機又は再生装置のためのリモコンが例示される。操作装置９０が備える複数の操作ボタンのうち、所定の指令が割り当てられた所定の操作ボタンが、ユーザによって操作されたとき、操作装置９０から、この所定の指令を示す指令信号が出力され、受信部２４は、これを受信する。受信部２４で受信された指令信号によって示される指令（情報）は、制御部１２に入力される。
【００２０】
デジタル表示装置７０は、映像信号処理部２０からのデジタル映像信号によって示される所定の映像（画像）を表示する。デジタル表示装置７０は、例えば液晶ディスプレイ、プラズマディスプレイ又は有機ＥＬ（organic electroluminescence）ディスプレイ等によって構成される。デジタル表示装置７０において映像の表示は、例えば、赤色、緑色及び青色の３原色によって実現される。つまり、デジタル表示装置７０で表示される映像は、光の３原色によって構成される。
【００２１】
上述した映像信号処理部２０は、図１（ｂ）に示すように、入力切替部２０２と、ＤＲＡＭコントローラ２０４と、ＤＭＡ（Direct Memory Access）コントローラ２０６と、カラー補正ディザリング部２０８と、ＯＳＤ（On-Screen Display）ミキサ２１０と、ＬＶＤＳ（Low Voltage Differential Signaling）変換部２１２とを有する。入力切替部２０２は、デジタル映像信号の入力先を、デコーダ処理部１６又は映像Ａ／Ｄ変換処理部１８の何れかに切り替える。ＤＲＡＭコントローラ２０４は、入力切替部２０２を介して入力されたデジタル映像信号によって示されるデータのＤＲＡＭ１４への記憶（書き込み）と、ＤＲＡＭ１４に記憶されたデータの読み出しとを制御する。ＤＭＡコントローラ２０６は、ダイレクトメモリアクセス方式のデータ転送を制御する。
【００２２】
カラー補正ディザリング部２０８は、ＤＲＡＭ１４に記憶され、ＤＭＡコントローラ２０６によって読み出されたデータを対象として、ディザリングを実行し、デジタル表示装置７０で表示される映像を示すデジタル映像信号を生成する。この際、カラー補正ディザリング部２０８は、フラッシュＲＯＭ２２に登録された映像設定データに従い、赤色、緑色、青色、黄色、水色及び桃色の各色それぞれについてカラー補正を実行する。そして、カラー補正ディザリング部２０８は、カラー補正された状態のＲＧＢ値からなるデジタル映像信号を生成する。つまり、カラー補正ディザリング部２０８で処理の対象となったデータ（デジタル映像信号）は、フラッシュＲＯＭ２２に登録された、赤色、緑色、青色、黄色、水色及び桃色の彩度の状態を含む映像設定データに従い、カラー補正がなされた状態とされる。
【００２３】
ＯＳＤミキサ２１０は、デジタル表示装置７０で所定の映像を表示している場合において、後述する図３（ａ），（ｂ）に示す設定画面を重ねて表示するための構成である。図３（ａ），（ｂ）に示す設定画面の表示を示す指令が受信部２４で受信された場合に、ＯＳＤミキサ２１０は、このような設定画面が表示中の映像に重ねて表示されるように制御する。図３（ａ），（ｂ）に示す設定画面の表示を示す指令が受信部２４で受信されず、図３（ａ），（ｂ）に示す設定画面が表示されない場合、ＯＳＤミキサ２１０は、カラー補正ディザリング部２０８からのデジタル映像信号を、そのままの状態で、ＬＶＤＳ変換部２１２に出力する。ＬＶＤＳ変換部２１２は、ＯＳＤミキサ２１０からのデジタル映像信号を、ＬＶＤＳ方式に従った信号に変換し、変換されたＬＶＤＳ方式のデジタル映像信号を、デジタル表示装置７０に出力する。
【００２４】
＜画像処理装置で実行される処理＞
映像設定データを登録するための処理について、図２を参照して説明する。この処理は、画像処理装置１０で実行される。この処理において、制御部１２は、この処理の開始を示す開始指令信号が受信部２４で受信されたかについて判断する（Ｓ１００）。ユーザは、操作装置９０が備える複数の操作ボタンのうち、この処理のための映像設定ボタンを操作する。これによって、操作装置９０から開始指令信号が出力され、出力された開始指令信号が受信部２４で受信される。開始指令信号が受信されない場合（Ｓ１００：Ｎｏ）、制御部１２は、開始指令信号が受信されるまで待機する。
【００２５】
これに対し、開始指令信号が受信された場合（Ｓ１００：Ｙｅｓ）、制御部１２は、デジタル表示装置７０で図３（ａ）に示す設定画面が、現在表示中の映像に重ねて表示されるように、映像信号処理部２０を制御する。図３（ａ）に示す設定画面は、ユーザに彩度の補正対象となる色を選択させるための設定画面（選択画面）である。彩度の補正対象となる色数は、デジタル表示装置７０で発光される光の原色数より多くなるようにされている。Ｓ１０２における表示は、上述した通り、ＯＳＤミキサ２１０等によって実現される。図３（ａ）に示す設定画面を示す一つ又は複数の画像データは、フラッシュＲＯＭ２２に記憶されており、フラッシュＲＯＭ２２からＯＳＤミキサ２１０へ転送される。
【００２６】
図３（ａ）に示す設定画面は、彩度の補正対象となる赤色、緑色、青色、黄色、水色及び桃色の各色についての選択画像１〜６を含む。図３（ａ）の上段左側（図３に示す「上下左右」参照。以下同じ。）に示す選択画像１（丸で囲まれた「１」を含む選択画像参照）は、補正対象の色が赤色である場合に選択される画像であって、そのことが示唆された配色とされている。同じく、上段中央に示す選択画像２（丸で囲まれた「２」を含む選択画像参照）は、補正対象の色が緑色である場合に選択される画像であって、そのことが示唆された配色とされている。上段右側に示す選択画像３（丸で囲まれた「３」を含む選択画像参照）は、補正対象の色が青色である場合に選択される画像であって、そのことが示唆された配色とされている。下段左側に示す選択画像４（丸で囲まれた「４」を含む選択画像参照）は、補正対象の色が黄色である場合に選択される画像であって、そのことが示唆された配色とされている。下段中央に示す選択画像５（丸で囲まれた「５」を含む選択画像参照）は、補正対象の色が水色である場合に選択される画像であって、そのことが示唆された配色とされている。下段右側に示す選択画像６（丸で囲まれた「６」を含む選択画像参照）は、補正対象の色が桃色である場合に選択される画像であって、そのことが示唆された配色とされている。
【００２７】
Ｓ１０２での設定画面の表示に応じ、ユーザは操作装置９０を操作する。具体的に、ユーザは、操作装置９０が備えるチャンネル選択用のボタン（例えば「１」〜「１２」のボタン）のうち、「１」〜「６」の何れかのボタンを適宜操作し、所望する色の選択画像を選択する。選択画像１を選択する場合、ユーザは、「１」のボタンを操作（押下）する。選択画像２を選択する場合、ユーザは、「２」のボタンを操作する。選択画像３を選択する場合、ユーザは、「３」のボタンを操作する。選択画像４を選択する場合、ユーザは、「４」のボタンを操作する。選択画像５を選択する場合、ユーザは、「５」のボタンを操作する。選択画像６を選択する場合、ユーザは、「６」のボタンを操作する。
【００２８】
制御部１２は、このようなユーザによる操作が赤色を補正対象とする選択画像１を選択する操作であるかについて判断する（Ｓ１０４）。具体的に、制御部１２は、操作装置９０から出力され、受信部２４で受信された指令信号が示す数字に従い判断する。受信部２４で受信された指令信号が「１」を示す場合、制御部１２は、選択画像１を選択する操作がなされたと判断する（Ｓ１０４：Ｙｅｓ）。そして、制御部１２は、デジタル表示装置７０で図３（ｂ）に示す設定画面が、現在表示中の映像に重ねて表示されるように、映像信号処理部２０を制御する（Ｓ１０６）。換言すれば、Ｓ１０６で制御部１２は、現在表示中の映像に重ねて表示される設定画面が、図３（ａ）から図３（ｂ）に切り替えられるように制御する。Ｓ１０６における表示は、上述した通り、ＯＳＤミキサ２１０等によって実現される。図３（ｂ）に示す設定画面を示す一つ又は複数の画像データは、フラッシュＲＯＭ２２に記憶されており、フラッシュＲＯＭ２２からＯＳＤミキサ２１０へ転送される。
【００２９】
図３（ｂ）に示す設定画面は、赤色の彩度を補正、具体的に、赤色の彩度を、予め定めた強の状態とするか、予め定めた弱の状態とするかを選択させるための設定画面（選択画面）である。強の状態及び弱の状態の関係について、弱の状態は、強の状態より彩度を低下させた状態である。彩度を強の状態とする際に選択される選択肢としての選択画像（図３（ｂ）で左側（図３に示す「左右」参照。以下同じ。）に示す「強」の文字を含む円形の画像参照）は、円内が、強の状態に対応した彩度の赤色に配色されている。同じく、彩度を弱の状態とする際に選択される選択肢としての選択画像（図３（ｂ）で右側に示す「弱」の文字を含む円形の画像参照）は、弱の状態に対応した彩度の赤色に配色されている。なお、強の状態及び／又は弱の状態の彩度は、例えば、赤色に関して、平均的な色覚異常の方々を基準として、所定の値に設定される（後述する他の色についても同様である。）。ユーザは、それぞれの彩度とされた「強」及び「弱」の選択画像を視認し、自身がイメージする赤色と同一又は近似する何れか一方の選択画像を、操作装置９０を操作して選択する。
【００３０】
ここで、Ｓ１０６では、先ず、図３（ｂ）に示すように、「強」の選択画像の外縁部が、補正対象の色と同種の赤色の太線で囲まれ、「弱」の選択画像の外縁部が、黒色の細線で囲まれた態様の設定画面が表示される。赤色の太線は、選択されている彩度の状態を示すものである。つまり、Ｓ１０６では、彩度の初期値として強の状態が選択された設定画面が表示される。ユーザは、彩度として強の状態が選択されていることを認識することができる。例えば、選択される彩度を強の状態から弱の状態に変更する場合、ユーザは、操作装置９０が備える右矢印ボタンを操作する。右矢印ボタンが操作された場合、そのことを示す指令信号が操作装置９０から出力され、受信部２４で受信される。受信部２４で、このような指令信号が受信された場合、制御部１２は、「弱」の選択画像の外縁部が赤色の太線で囲まれ、「強」の選択画像の外縁部が、黒色の細線で囲まれた（図３（ｂ）において「弱」の選択画像の外縁部参照）設定画面が表示されるように制御する。ユーザは、彩度として弱の状態が選択されたことを認識することができる。一方、選択される彩度を弱の状態から強の状態に変更する場合、ユーザは、操作装置９０が備える左矢印ボタンを操作する。左矢印ボタンが操作された場合、そのことを示す指令信号が操作装置９０から出力され、受信部２４で受信される。受信部２４で、このような指令信号が受信された場合、制御部１２は、再度、図３（ｂ）に示す設定画面が表示されるように制御する。ユーザは、再び、彩度として強の状態が選択されたことを認識することができる。制御部１２は、彩度として、強の状態が選択されているか、弱の状態が選択されているかを、例えば自身を構成するＲＡＭに記憶する。
【００３１】
そして、ユーザは、所望する彩度を示す選択画像が選択された状態で、これを確定（決定）させるための操作装置９０が備える確定ボタン（決定ボタン）を操作する。確定ボタンが操作された場合、そのことを示す指令信号が操作装置９０から出力され、受信部２４で受信される。
【００３２】
Ｓ１０２での設定画面の表示に応じてなされた操作装置９０に対するユーザの操作によって、受信部２４で受信された指令信号が示す数字が「１」ではなく、その結果、Ｓ１０４で選択画像１を選択する操作がなされていないと判断された場合（Ｓ１０４：Ｎｏ）、制御部１２は、処理をＳ１０８に移行させる。Ｓ１０８で制御部１２は、Ｓ１０４と同様にして、Ｓ１０２での設定画面の表示に応じてなされた操作が、緑色を補正対象とする選択画像２を選択する操作であるかについて判断する。具体的に、制御部１２は、操作装置９０から出力され、受信部２４で受信された指令信号が示す数字が「２」を示す場合、選択画像２を選択する操作がなされたと判断する（Ｓ１０８：Ｙｅｓ）。そして、制御部１２は、デジタル表示装置７０で、緑色の彩度を補正、具体的に、緑色の彩度を、予め定めた強の状態とするか、予め定めた弱の状態とするかを選択させるための設定画面（選択画面）が、現在表示中の映像に重ねて表示されるように、映像信号処理部２０を制御する（Ｓ１１０）。換言すれば、Ｓ１１０で制御部１２は、現在表示中の映像に重ねて表示される設定画面が、図３（ａ）から、前述のような緑色の彩度のための設定画面に切り替えられるように、映像信号処理部２０を制御する。Ｓ１１０における表示は、上述した通り、ＯＳＤミキサ２１０等によって実現される。緑色の彩度のための設定画面は、図３（ｂ）に示す赤色についての設定画面と同様の態様であって、上述した通りである。そのため、その説明は省略する。
【００３３】
また、ユーザは、Ｓ１１０での設定画面の表示に応じ、緑色の彩度が強の状態とされた選択画像と、弱の状態とされた選択画像とを視認する。そして、ユーザは、自身がイメージする緑色と同一又は近似する何れか一方の選択画像を、操作装置９０を上述したように操作して選択し確定させる。操作装置９０を介した選択及び確定のための操作等についても、上述した通りであり、その説明は省略する。
【００３４】
Ｓ１０２での設定画面の表示に応じてなされた操作装置９０に対するユーザの操作によって、受信部２４で受信された指令信号が示す数字が「２」ではなく、その結果、Ｓ１０８で選択画像２を選択する操作がなされていないと判断された場合（Ｓ１０８：Ｎｏ）、制御部１２は、処理をＳ１１２に移行させる。Ｓ１１２で制御部１２は、Ｓ１０４と同様にして、Ｓ１０２での設定画面の表示に応じてなされた操作が、青色を補正対象とする選択画像３を選択する操作であるかについて判断する。具体的に、制御部１２は、操作装置９０から出力され、受信部２４で受信された指令信号が示す数字が「３」を示す場合、選択画像３を選択する操作がなされたと判断する（Ｓ１１２：Ｙｅｓ）。そして、制御部１２は、デジタル表示装置７０で、青色の彩度を補正、具体的に、青色の彩度を、予め定めた強の状態とするか、予め定めた弱の状態とするかを選択させるための設定画面（選択画面）が、現在表示中の映像に重ねて表示されるように、映像信号処理部２０を制御する（Ｓ１１４）。換言すれば、Ｓ１１４で制御部１２は、現在表示中の映像に重ねて表示される設定画面が、図３（ａ）から、前述のような青色の彩度のための設定画面に切り替えられるように、映像信号処理部２０を制御する。Ｓ１１４における表示は、上述した通り、ＯＳＤミキサ２１０等によって実現される。青色の彩度のための設定画面は、図３（ｂ）に示す赤色についての設定画面と同様の態様であって、上述した通りである。そのため、その説明は省略する。
【００３５】
また、ユーザは、Ｓ１１４での設定画面の表示に応じ、青色の彩度が強の状態とされた選択画像と、弱の状態とされた選択画像とを視認する。そして、ユーザは、自身がイメージする青色と同一又は近似する何れか一方の選択画像を、操作装置９０を上述したように操作して選択し確定させる。操作装置９０を介した選択及び確定のための操作等についても、上述した通りであり、その説明は省略する。
【００３６】
Ｓ１０２での設定画面の表示に応じてなされた操作装置９０に対するユーザの操作によって、受信部２４で受信された指令信号が示す数字が「３」ではなく、その結果、Ｓ１１２で選択画像３を選択する操作がなされていないと判断された場合（Ｓ１１２：Ｎｏ）、制御部１２は、処理をＳ１１６に移行させる。Ｓ１１６で制御部１２は、Ｓ１０４と同様にして、Ｓ１０２での設定画面の表示に応じてなされた操作が、黄色を補正対象とする選択画像４を選択する操作であるかについて判断する。具体的に、制御部１２は、操作装置９０から出力され、受信部２４で受信された指令信号が示す数字が「４」を示す場合、選択画像４を選択する操作がなされたと判断する（Ｓ１１６：Ｙｅｓ）。そして、制御部１２は、デジタル表示装置７０で、黄色の彩度を補正、具体的に、黄色の彩度を、予め定めた強の状態とするか、予め定めた弱の状態とするかを選択させるための設定画面（選択画面）が、現在表示中の映像に重ねて表示されるように、映像信号処理部２０を制御する（Ｓ１１８）。換言すれば、Ｓ１１８で制御部１２は、現在表示中の映像に重ねて表示される設定画面が、図３（ａ）から、前述のような黄色の彩度のための設定画面に切り替えられるように、映像信号処理部２０を制御する。Ｓ１１４における表示は、上述した通り、ＯＳＤミキサ２１０等によって実現される。黄色の彩度のための設定画面は、図３（ｂ）に示す赤色についての設定画面と同様の態様であって、上述した通りである。そのため、その説明は省略する。
【００３７】
また、ユーザは、Ｓ１１８での設定画面の表示に応じ、黄色の彩度が強の状態とされた選択画像と、弱の状態とされた選択画像とを視認する。そして、ユーザは、自身がイメージする黄色と同一又は近似する何れか一方の選択画像を、操作装置９０を上述したように操作して選択し確定させる。操作装置９０を介した選択及び確定のための操作等についても、上述した通りであり、その説明は省略する。
【００３８】
Ｓ１０２での設定画面の表示に応じてなされた操作装置９０に対するユーザの操作によって、受信部２４で受信された指令信号が示す数字が「４」ではなく、その結果、Ｓ１１６で選択画像４を選択する操作がなされていないと判断された場合（Ｓ１１６：Ｎｏ）、制御部１２は、処理をＳ１２０に移行させる。Ｓ１２０で制御部１２は、Ｓ１０４と同様にして、Ｓ１０２での設定画面の表示に応じてなされた操作が、水色を補正対象とする選択画像５を選択する操作であるかについて判断する。具体的に、制御部１２は、操作装置９０から出力され、受信部２４で受信された指令信号が示す数字が「５」を示す場合、選択画像５を選択する操作がなされたと判断する（Ｓ１２０：Ｙｅｓ）。そして、制御部１２は、デジタル表示装置７０で、水色の彩度を補正、具体的に、水色の彩度を、予め定めた強の状態とするか、予め定めた弱の状態とするかを選択させるための設定画面（選択画面）が、現在表示中の映像に重ねて表示されるように、映像信号処理部２０を制御する（Ｓ１２２）。換言すれば、Ｓ１２２で制御部１２は、現在表示中の映像に重ねて表示される設定画面が、図３（ａ）から、前述のような水色の彩度のための設定画面に切り替えられるように、映像信号処理部２０を制御する。Ｓ１２２における表示は、上述した通り、ＯＳＤミキサ２１０等によって実現される。水色の彩度のための設定画面は、図３（ｂ）に示す赤色についての設定画面と同様の態様であって、上述した通りである。そのため、その説明は省略する。
【００３９】
また、ユーザは、Ｓ１２２での設定画面の表示に応じ、水色の彩度が強の状態とされた選択画像と、弱の状態とされた選択画像とを視認する。そして、ユーザは、自身がイメージする水色と同一又は近似する何れか一方の選択画像を、操作装置９０を上述したように操作して選択し確定させる。操作装置９０を介した選択及び確定のための操作等についても、上述した通りであり、その説明は省略する。
【００４０】
Ｓ１０２での設定画面の表示に応じてなされた操作装置９０に対するユーザの操作によって、受信部２４で受信された指令信号が示す数字が「５」ではなく、その結果、Ｓ１２０で選択画像５を選択する操作がなされていないと判断された場合（Ｓ１２０：Ｎｏ）、制御部１２は、処理をＳ１２４に移行させる。Ｓ１２４で制御部１２は、Ｓ１０４と同様にして、Ｓ１０２での設定画面の表示に応じてなされた操作が、桃色を補正対象とする選択画像６を選択する操作であるかについて判断する。具体的に、制御部１２は、操作装置９０から出力され、受信部２４で受信された指令信号が示す数字が「６」を示す場合、選択画像６を選択する操作がなされたと判断する（Ｓ１２４：Ｙｅｓ）。そして、制御部１２は、デジタル表示装置７０で、桃色の彩度を補正、具体的に、桃色の彩度を、予め定めた強の状態とするか、予め定めた弱の状態とするかを選択させるための設定画面（選択画面）が、現在表示中の映像に重ねて表示されるように、映像信号処理部２０を制御する（Ｓ１２６）。換言すれば、Ｓ１２６で制御部１２は、現在表示中の映像に重ねて表示される設定画面が、図３（ａ）から、前述のような桃色の彩度のための設定画面に切り替えられるように、映像信号処理部２０を制御する。Ｓ１２６における表示は、上述した通り、ＯＳＤミキサ２１０等によって実現される。桃色の彩度のための設定画面は、図３（ｂ）に示す赤色についての設定画面と同様の態様であって、上述した通りである。そのため、その説明は省略する。
【００４１】
また、ユーザは、Ｓ１２６での設定画面の表示に応じ、桃色の彩度が強の状態とされた選択画像と、弱の状態とされた選択画像とを視認する。そして、ユーザは、自身がイメージする桃色と同一又は近似する何れか一方の選択画像を、操作装置９０を上述したように操作して選択し確定させる。操作装置９０を介した選択及び確定のための操作等についても、上述した通りであり、その説明は省略する。なお、Ｓ１０２での設定画面の表示に応じてなされた操作装置９０に対するユーザの操作によって、受信部２４で受信された指令信号が示す数字が「６」ではなく、その結果、Ｓ１２４で選択画像６を選択する操作がなされていないと判断された場合（Ｓ１２４：Ｎｏ）、制御部１２は、処理をＳ１０２に戻す。例えば、ユーザが、「７」を示すボタンを操作していた場合、Ｓ１２４の判断は否定される（Ｓ１２４：Ｎｏ）。
【００４２】
Ｓ１０６、Ｓ１１０、Ｓ１１４、Ｓ１１８、Ｓ１２２又はＳ１２６の何れかを実行した後、制御部１２は、上述した、確定ボタンが操作されたときに操作装置９０から出力される確定を示す指令信号（確定指令信号）が受信されるまで待機する。受信部２４で確定指令信号が受信された場合、制御部１２は、その時点で選択されている彩度が、強の状態であるかを判断する。制御部１２は、自身を構成するＲＡＭに記憶されている彩度の状態に従い、この判断を実行する。そして、ＲＡＭに強の状態であることが記憶されている場合、制御部１２は、Ｓ１２８の判断を肯定し（Ｓ１２８：Ｙｅｓ）、Ｓ１０６、Ｓ１１０、Ｓ１１４、Ｓ１１８、Ｓ１２２又はＳ１２６の何れかで表示された設定画面に係る色（補正対象の色）の彩度として、強の状態を指定する（Ｓ１３０）。一方、ＲＡＭに強の状態であることが記憶されていない場合、換言すれば、ＲＡＭに弱の状態であることが記憶されている場合、制御部１２は、Ｓ１２８の判断を否定し（Ｓ１２８：Ｎｏ）、Ｓ１０６、Ｓ１１０、Ｓ１１４、Ｓ１１８、Ｓ１２２又はＳ１２６の何れかで表示された設定画面に係る色の彩度として、弱の状態を指定する（Ｓ１３２）。Ｓ１３０又はＳ１３２を実行した後、制御部１２は、処理をＳ１３４に移行させる。
【００４３】
Ｓ１３４で制御部１２は、Ｓ１０６、Ｓ１１０、Ｓ１１４、Ｓ１１８、Ｓ１２２又はＳ１２６の何れかで表示された設定画面に係る色の彩度として、Ｓ１３０で指定された強の状態又はＳ１３２で指定された弱の状態を、フラッシュＲＯＭ２２に記憶されている映像設定データに登録する。続けて、制御部１２は、Ｓ１０６、Ｓ１１０、Ｓ１１４、Ｓ１１８、Ｓ１２２又はＳ１２６の何れかで表示された設定画面を、デジタル表示装置７０から消去し、デジタル表示装置７０での表示が図３（ｂ）に示すような設定画面が重ねられた状態ではないように制御する。そして、制御部１２は、この処理を終了する。ここで、Ｓ１３４又はＳ１３６を実行した後、処理がＳ１０２に戻るようにしてもよい。このような構成によれば、他の色についても連続して彩度を補正することができる。この場合、ユーザが操作装置９０においてこの処理の終了を示すボタンを操作し、そのことを示す指令信号が受信部２４で受信された場合、制御部１２は、この処理を終了する。また、この処理を開始後、全６色について、Ｓ１３４で映像設定データへの登録が完了した場合、制御部１２は、この処理を終了するようにしてもよい。
【００４４】
上記では、映像を例に説明したが、本実施形態は、上記と同様にして、静止画像に対しても適用することができる。静止画像としては、例えばデジタルカメラ等によって撮像された写真画像が例示される。静止画像は、メモリカード等に記憶される。例えば、テレビ受像機又は再生装置は、メモリカードスロットを有する。このメモリカードスロットに装着されたメモリカードに記憶された静止画像を示すデジタル画像信号は、デコーダ処理部１６に入力される。また、上記では、ユーザが操作装置９０を操作し、この操作によって所定の指令信号が出力され、受信部２４で受信される構成を例に説明した。このような構成の他又はこれに追加して、デジタル表示装置７０が備える所定の操作ボタンを操作して、上記同様の指令が画像処理装置１０に入力されるようにしてもよい。例えば、デジタル表示装置７０が備える所定の操作ボタンが操作された場合に、Ｓ１００の判断が肯定され（Ｓ１００：Ｙｅｓ）、Ｓ１０２で図３（ａ）に示す設定画面が表示されるようにしてもよい。そして、その後の処理も、デジタル表示装置７０が備える所定の操作ボタンが適宜操作されて行われるようにしてもよい。
【００４５】
以上説明した本実施形態によれば、ユーザは、図３（ａ）に示す設定画面に基づき、彩度の補正対象の色を選択することができ、また、図３（ｂ）に示す設定画面に基づき、補正対象の色の彩度を、強の状態とするか、弱の状態とするかを選択することができる。従って、ユーザは、デジタル表示装置７０で表示される映像（画像）について、複雑な操作を行わずして容易に彩度を補正し、好適な彩度の映像を視認することができる。
【符号の説明】
【００４６】
１０  画像処理装置
１２  制御部、  １４  ＤＲＡＭ、  １６  デコーダ処理部
１８  映像Ａ／Ｄ変換処理部
２０  映像信号処理部、  ２０２  入力切替部、２０４  ＤＲＡＭコントローラ
２０６  ＤＭＡコントローラ、  ２０８  カラー補正ディザリング部
２１０  ＯＳＤミキサ、  ２１２  ＬＶＤＳ変換部
２２  フラッシュＲＯＭ、  ２４  受信部
７０  デジタル表示装置
９０  操作装置
【図１】
2012133600.tif 000003
【図２】
2012133600.tif 000004
【図３】
2012133600.tif 000005